【手続補正書】
【提出日】平成26年1月15日(2014.1.15)
【手続補正１】
【補正対象書類名】特許請求の範囲
【補正対象項目名】全文
【補正方法】変更
【補正の内容】
【特許請求の範囲】
【請求項１】
医用テレメトリーネットワーク内で無線源を再使用するための方法（７００）であって、
サーバーにおいて、複数の分散型受信器（１０６）から複数の移動式送受信器（１０４）に関するトラフィック情報を受信するステップ（７０２）であって、複数の移動式送受信器（１０４）の各々は複数の分散型受信器（１０６）により形成される有効域ゾーン（１１０）内に属している受信ステップ（７０２）と、
前記トラフィック情報に基づいて複数の移動式送受信器に関する時間スロット割り当て及び周波数チャンネル割り当てを特定するステップ（７０４）と、
少なくともその一部で前記トラフィック情報に基づいて１つまたは複数の時間スロット割り当て及び／または１つまたは複数の周波数チャンネル割り当てを更新するステップ（７０６）と、
前記時間スロット割り当ての更新済みインスタンス及び前記周波数チャンネル割り当ての更新済みインスタンスを一斉同報するステップ（７０８）と、
前記複数の移動式送受信器（１０４）の各々のエラー率を前記サーバで受けるステップと、
前記複数の移動式送受信器（１０４）の各々の前記エラー率を最大許容可能エラー率と比較するステップと、
該比較結果に応答して、前記複数の移動式送受信器（１０４）の１つ以上のエラー訂正を有効にするエラー訂正有効化信号を送信するステップと、
を含み、
前記エラー訂正が、
第１の周波数で、ペイロードデータと該ペイロードデータに関連した第１のエラー検出データとを含む第１の送信を行うステップと、
第２の周波数で、前記ペイロードデータに関連した前方エラー訂正データと、該前方エラー訂正データに関連した第２のエラー検出データとを含む第２の送信を行うステップと、
を含み、
前記前方エラー訂正データが可逆コードを使用して生成されたパリティデータを含む、
方法（７００）。
【請求項２】
前記更新ステップはさらに、同一チャンネル干渉、隣接ゾーン干渉及び同一サイト干渉を軽減するためのチャンネル分離パラメータを備えた拘束マップ（１２００Ａ、１２００Ｂ）を考慮に入れるステップを含む、請求項１に記載の方法。
【請求項３】
前記トラフィック情報は、複数の分散型受信器（１０６）の各々と通信している移動式送受信器（１０４）の数、複数の移動式送受信器の移動送受信器識別子、移動式送受信器のバッファ状態、複数の分散型受信器（１０６）の有効域ゾーン（１１０）内における複数の移動式送受信器（１０４）の存在のうちの１つまたは幾つかを含む、請求項１または２に記載の方法。
【請求項４】
複数の周波数チャンネルの各々内で未使用の時間スロットを特定するステップと、
前記未使用の時間スロットのすぐ後に続く時間スロットを利用している移動式送受信器を再割り当て向けに特定するステップと、
前記再割り当て向けに特定された移動式送受信器に関する時間スロット割り当て及び／または周波数チャンネル割り当てを、時間及び周波数に関する未使用時間スロットの順で未使用時間スロットに更新するステップと、
周波数チャンネル順序を循環式にシフトさせるステップと、
をさらに含む請求項１乃至３のいずれかに記載の方法。
【請求項５】
医用テレメトリーネットワーク内で無線源を再使用するためのシステム（１３００）であって、
１つまたは複数のネットワークインタフェース（１３１０）と、
１つまたは複数のプロセッサ（１３０２）と、
メモリ（１３０４）と、
コンピュータ読み取り可能記憶媒体（１３０６）内に保存されたコンピュータプログラムコード（１３０８）であって、実行時に前記１つまたは複数のプロセッサ（１３０２）に対して、
サーバーにおいて、複数の分散型受信器（１０６）から複数の移動式送受信器（１０４）に関するトラフィック情報を受信するステップ（７０２）であって、複数の移動式送受信器（１０４）の各々は複数の分散型受信器（１０６）により形成される有効域ゾーン（１１０）内に属している受信ステップと、
前記トラフィック情報に基づいて複数の移動式送受信器に関する時間スロット割り当て及び周波数チャンネル割り当てを特定するステップ（７０４）と、
少なくともその一部で前記トラフィック情報に基づいて１つまたは複数の時間スロット割り当て及び／または１つまたは複数の周波数チャンネル割り当てを更新するステップ（７０６）と、
前記時間スロット割り当ての更新済みインスタンス及び前記周波数チャンネル割り当ての更新済みインスタンスを一斉同報するステップ（７０８）と、
前記複数の移動式送受信器（１０４）の各々のエラー率を前記サーバで受けるステップと、
前記複数の移動式送受信器（１０４）の各々の前記エラー率を最大許容可能エラー率と比較するステップと、
該比較結果に応答して、前記複数の移動式送受信器（１０４）の１つ以上のエラー訂正を有効にするエラー訂正有効化信号を送信するステップと、
を行なわせるように動作可能なコンピュータプログラムコード（１３０８）を備え、
前記エラー訂正が、
第１の周波数で、ペイロードデータと該ペイロードデータに関連した第１のエラー検出データとを含む第１の送信を行うことと、
第２の周波数で、前記ペイロードデータに関連した前方エラー訂正データと、該前方エラー訂正データに関連した第２のエラー検出データとを含む第２の送信を行うこととを含み、
前記前方エラー訂正データが可逆コードを使用して生成されたパリティデータを含む、
システム（１３００）。
【請求項６】
前記コンピュータプログラムコード（１３０８）は１つまたは複数のプロセッサ（１３０２）に対してさらに、同一チャンネル干渉、隣接ゾーン干渉及び同一サイト干渉を軽減するためのチャンネル分離パラメータを備えた拘束マップ（１２００Ａ、１２００Ｂ）を考慮に入れるステップを行わせるように動作可能である、請求項５に記載のシステム。
【請求項７】
前記トラフィック情報は、複数の分散型受信器（１０６）の各々と通信している移動式送受信器（１０４）の数、複数の移動式送受信器の移動送受信器識別子、移動式送受信器のバッファ状態、複数の分散型受信器（１０６）の有効域ゾーン（１１０）内における複数の移動式送受信器（１０４）の存在のうちの１つまたは幾つかを含む、請求項５または６に記載のシステム。
【請求項８】
医用テレメトリーネットワーク内で無線源を再使用するためのコンピュータ実行可能命令（１３０８）によりエンコードされたコンピュータ読み取り可能媒体を備えたコンピュータプログラム成果物であって、該コンピュータ実行可能命令（１３０８）は実行時に１つまたは複数のプロセッサ（１３０２）に対して、
サーバーにおいて、複数の分散型受信器（１０６）から複数の移動式送受信器（１０４）に関するトラフィック情報を受信するステップ（７０２）であって、複数の移動式送受信器（１０４）の各々は複数の分散型受信器（１０６）により形成される有効域ゾーン（１１０）内に属している受信ステップと、
前記トラフィック情報に基づいて複数の移動式送受信器に関する時間スロット割り当て及び周波数チャンネル割り当てを特定するステップ（７０４）と、
少なくともその一部で前記トラフィック情報に基づいて１つまたは複数の時間スロット割り当て及び／または１つまたは複数の周波数チャンネル割り当てを更新するステップ（７０６）と、
前記時間スロット割り当ての更新済みインスタンス及び前記周波数チャンネル割り当ての更新済みインスタンスを一斉同報するステップ（７０８）と、
前記複数の移動式送受信器（１０４）の各々のエラー率を前記サーバで受けるステップと、
前記複数の移動式送受信器（１０４）の各々の前記エラー率を最大許容可能エラー率と比較するステップと、
該比較結果に応答して、前記複数の移動式送受信器（１０４）の１つ以上のエラー訂正を有効にするエラー訂正有効化信号を送信するステップと、
を行なわせるように動作可能であり、
前記エラー訂正が、
第１の周波数で、ペイロードデータと該ペイロードデータに関連した第１のエラー検出データとを含む第１の送信を行うことと、
第２の周波数で、前記ペイロードデータに関連した前方エラー訂正データと、該前方エラー訂正データに関連した第２のエラー検出データとを含む第２の送信を行うこととを含み、
前記前方エラー訂正データが可逆コードを使用して生成されたパリティデータを含む、
コンピュータプログラム。
【請求項９】
１つまたは複数のプロセッサ（１３０２）に対して、同一チャンネル干渉、隣接ゾーン干渉及び同一サイト干渉を軽減するためのチャンネル分離パラメータを備えた拘束マップ（１２００Ａ、１２００Ｂ）を考慮に入れるステップを行わせるように動作可能なコンピュータ実行可能命令（１３０８）をさらに含む請求項８に記載のコンピュータプログラム。
【請求項１０】
前記トラフィック情報は、複数の分散型受信器（１０６）の各々と通信している移動式送受信器（１０４）の数、複数の移動式送受信器の移動送受信器識別子、移動式送受信器のバッファ状態、複数の分散型受信器（１０６）の有効域ゾーン内における複数の移動式送受信器（１０４）の存在のうちの１つまたは幾つかを含む、請求項８または９に記載のコンピュータプログラム。